(57)【要約】【課題】  荷物を持ってエレベータを利用する利用者の不便さを解消すること。【解決手段】  床１２と、この床１２の周囲に立設された側板１３と、この側板１３の上に設けられた天井１１と、前記側板１３に設けられこの側板１３に収納可能な荷提げ用フック１６とから成るエレベータ乗りかごを有する。【選択図】図１
2005145615.tif 000002
【特許請求の範囲】
【請求項１】
床と、
この床の周囲に立設された側板と、
この側板の上に設けられた天井と、
前記側板に設けられ、この側板に収納可能な荷提げ用フックと、
から成るエレベータ乗りかごを有することを特徴とするエレベータ。
【請求項２】
床と、
この床の周囲に立設された側板と、
この側板の上に設けられた天井と、
前記側板に磁力により着脱可能に設けられた荷提げ用フックとから成るエレベータ乗りかごを有することを特徴とするエレベータ。
【請求項３】
床と、
この床の周囲に立設された側板と、
この側板の上に設けられた天井と、
前記側板の裏面の所定位置に設置された磁石と、
この磁石の設置された前記側板の表面に磁力により着脱可能に設けられた荷提げ用フックとから成るエレベータ乗りかごを有することを特徴とするエレベータ。
【請求項４】
前記荷提げ用フックに掛けられている荷重の有無を検知する荷重検知手段と、
エレベータ乗りかごの扉解放時に前記荷重検知手段により荷重有りと検知されたとき光又は音により警告を発する警告手段と、
を更に有することを特徴とする請求項１乃至３のいずれか１記載のエレベータ。
【請求項５】
エレベータ利用者が荷物を掛けることが可能な荷提げ用フックをエレベータ乗り場の壁面に設けられて成ることを特徴とするエレベータ。
【請求項６】
前記荷提げ用フックに掛けられている荷重の有無を検知する荷重検知手段と、
エレベータ乗りかごの扉解放時に前記荷重検知手段により荷重有りと検知されたとき光又は音により警告を発する警告手段と、
を更に有することを特徴とする請求項５記載のエレベータ。
【発明の詳細な説明】
【技術分野】
【０００１】
本発明はエレベータに係わり、特に、エレベータ利用者が、持っている荷物を掛ける荷提げ用フックを有するエレベータに関する。
【背景技術】
【０００２】
従来、エレベータ利用者が手荷物などで両手が塞がれた状態でエレベータを利用する場合、乗り場やエレベータ乗りかごで目的階のボタンを押すことが不便であり、手荷物を一旦床に置いてボタンを押さなければならなかった。
【０００３】
この不便さを解消するためにエレベータ乗りかご室内に、荷物置き用の支持体とその支持体の前面に荷物掛け用フックを設けた公知例もある。
【０００４】
しかしながら、この例では荷物を掛けるフックが、エレベータかごの側板に支持体を固定し、さらにその支持体に固定されているため、フックを使用しない場合でもエレベータかご室内に突出したままになり、支持体とともにかご室内の乗降客用スペースを少なくしてしまう問題があった。
【発明の開示】
【発明が解決しようとする課題】
【０００５】
本発明は上記のような従来のエレベータの問題点に鑑みてなされたもので、荷物を持ってエレベータを利用する利用者の不便さを解消することを目的とする。
【課題を解決するための手段】
【０００６】
本発明の請求項１によれば、床と、この床の周囲に立設された側板と、この側板の上に設けられた天井と、前記側板に設けられ、この側板に収納可能な荷提げ用フックと、から成るエレベータ乗りかごを有することを特徴とするエレベータを提供する。
【０００７】
本発明の請求項２によれば、床と、この床の周囲に立設された側板と、この側板の上に設けられた天井と、前記側板に磁力により着脱可能に設けられた荷提げ用フックとから成るエレベータ乗りかごを有することを特徴とするエレベータを提供する。
【０００８】
本発明の請求項３によれば、床と、この床の周囲に立設された側板と、この側板の上に設けられた天井と、前記側板の裏面の所定位置に設置された磁石と、この磁石の設置された前記側板の表面に磁力により着脱可能に設けられた荷提げ用フックとから成るエレベータ乗りかごを有することを特徴とするエレベータを提供する。
【０００９】
本発明の請求項４によれば、前記荷提げ用フックに掛けられている荷重の有無を検知する荷重検知手段と、エレベータ乗りかごの扉解放時に前記荷重検知手段により荷重有りと検知されたとき光又は音により警告を発する警告手段と、を更に有することを特徴とする請求項１乃至３のいずれか１記載のエレベータを提供する。
【００１０】
本発明の請求項５によれば、エレベータ利用者が荷物を掛けることが可能な荷提げ用フックをエレベータ乗り場の壁面に設けられて成ることを特徴とするエレベータを提供する。
【００１１】
本発明の請求項３によれば、前記荷提げ用フックに掛けられている荷重の有無を検知する荷重検知手段と、エレベータ乗りかごの扉解放時に前記荷重検知手段により荷重有りと検知されたとき光又は音により警告を発する警告手段と、を更に有することを特徴とする請求項５記載のエレベータを提供する。
【発明の効果】
【００１２】
本発明によれば、荷物を持ってエレベータを利用する利用者の不便さを解消することが可能なエレベータを得ることができる効果がある。
【発明を実施するための最良の形態】
【００１３】
以下、本発明の実施形態について図面を用いて説明する。
【００１４】
本発明における一実施形態のエレベータ乗りかごの内面を図１に示す。即ち、エレベータ乗りかごは、天井１１と、床１２と、この床１２の四方に立設される側板１３と、扉１４と、利用者が行き先階を指定する操作盤１５から成り、側板１３の適当な位置には、利用者が荷物を掛けることが可能な荷提げフック１６が設けられている。
【００１５】
荷提げフック１６は、通常は側板に収納されている。利用者がエレベータ乗りかごに乗ってきたとき、両手に荷物を持っているときには荷提げフック１６を引き出し、荷物をこれに掛けて、目的階を操作盤１５に登録・指示する。
【００１６】
収納可能な荷提げフック１６の荷物掛け部１７が引き出された状態を図２（ａ）として、これが収納された状態を図２（ｂ）として、それぞれ示す。利用者は、荷提げフック１６の収納された状態の荷物掛け部１７を引き出して、手荷物をこれに掛けることにより、自由になった手で目的階を指定することができる。
【００１７】
荷提げフック１６が収納されたとき図２（ｃ）に示すように側板１３と面一になる構造とすれば、荷提げフック収納時に、例えば利用者の衣服にひっかかるようなことがなく望ましい。このとき、荷提げフック１６には切り欠き部１８を有する構造とすれば、収納時は図２（ｃ）に示す構造とし、しかも荷提げフック１６使用時には切り欠き部１８に指を掛けて引っ張ることが可能になるので、荷物掛け部１７を容易に引き出すことができる利点がある。
【００１８】
収納可能な荷提げフック１６の具体的な構造例を図３に示す。荷提げフック１６の荷物掛け部１７は、側板１３に設けられた孔を介して裏面に通されている。荷物掛け部１７の周囲には収納用の圧縮バネ３１が設けられ、荷提げフックが使用されるときには、突出しているが、未使用時には圧縮バネ３１のバネ力によって荷掛け部１７は側板１３裏面に収納され、図２（ｂ）に示したように、エレベータかご内に荷掛け部１７が突出しない。
【００１９】
上述のように、本発明のこの実施形態によれば、荷提げフックが側板に収納できるので、荷物を持っておらず荷提げフックを使用する必要がない場合は、エレベータかごの側板に収納されて利用者の邪魔にならず、かご内の乗降客用スペースを確保できる利点がある。
【００２０】
ところで、前述の実施形態では、荷提げフックを収納可能としたが、これに替えて荷提げフックを、磁石を用いた着脱可能のものとすることができる。図４（ａ）にこの実施形態の荷提げフックの構造例を示す。即ち、側板４１に磁石がつくようなステンレスなど鉄製の素材を用い、荷提げフック４２に磁石４３を取り付けて磁力により固定する。
【００２１】
上述のように荷提げフックを磁石を用いた着脱可能なものとすれば、側板に穴などを開けることなく、荷提げフックを使用したい場合にはこれを取り付け、利用者に対して荷物をこのフックに掛けて自由になった手で操作盤への目的階の指示を可能とさせるとともに、荷物を持っておらず荷提げフックを使用する必要がない場合は、取り外すことにより利用者の邪魔にならず、かご内の乗降客用スペースを確保できる利点がある。またこの荷提げフックを利用者の都合のいい高さ及び位置に設けることができる利点もある。
【００２２】
また、磁石が付くような素材を側板４１に用いることができない場合や荷重の大きい荷物を掛けたい場合には側板の裏側に磁石を設置するようにすることができる。つまり図４（b）に示したように、手提げフック４２を掛ける位置の側板４１の裏側に、磁石４３と引き合うように磁石４４を取り付け、その磁力により固定する。
【００２３】
この場合、側板裏に位置する磁石４４は、磁石４３に対して側板４１を間に挟むように設けられる。磁石４４の磁力は、側板４１の厚さ及び荷提げフック４２に掛けられる荷物の最大荷重を考慮した値にする。また、磁石４４が取り付けられている位置の側板４１の内側（乗客側）には、荷提げフック４２の取り付け位置を示すマークを設ければよい。
【００２４】
この実施形態では側板４１の裏面に磁石４４が設けられるので、荷物提げフックはより大きな負荷に耐えることができ、重い荷物を掛けることが可能となるだけでなく、側板４１として磁石に吸い付く材料に限定する必要がなくなる利点もある。
【００２５】
次に、本発明の他の実施形態について説明する。この実施形態の荷提げフックの構造例を図５に示す。この実施形態における荷提げフック５１は、シャフト５２と、このシャフト５２を支えるシリンダー５３とを有し、これらは側板５４に取り付けられる。シャフト５２に接触する板バネ５５は、フックに荷重が掛からない時にシャフト５２をシリンダー５３の中央に戻す働きをする。また、シリンダー５３には、シャフト５２の荷重を検知する荷重検知装置５６と、荷重検知を制御盤などへ通知する制御盤への配線５７が設けられ、側板５４には荷物が置き忘れられている旨を利用者に光の点灯、点滅により警告するランプ５８が設けられている。ランプ５８には配線５９が接続され、図示しない制御装置に接続されている。
【００２６】
荷提げフック５１に荷物が掛かっていない場合（図５（ａ）の状態）には荷重検知装置５６によりシャフト５２が無荷重と認識し、その旨を制御盤に配線５７を通じて通知する。一方、荷提げフック５１に荷物が掛かっている場合（図５（b）の状態）は荷重検知装置５６によりシャフト５２に荷重がある旨を配線５７を通じて制御盤に通知する。
【００２７】
制御盤では、シャフト５２に荷重を検知した場合、扉１４を開く時に側板５４に設置されたランプ５８を点灯、或いは点滅させて利用者に荷物の置き忘れを警告する。また、音声によるアナウンスによって、同様の警告を行うようにすることもできる。
【００２８】
この実施形態は、利用者により荷提げフックに掛けられたままの荷物を検知し、扉の開閉状況から判断して利用者が荷物を置き忘れたことを認識して警告するものである。
【００２９】
本発明のこの実施形態によれば、荷提げフック５１に荷物の荷重を検知して利用者に荷物の置き忘れを警告することにより、エレベータ利用者に対する利便性をさらに高めることができる。
【００３０】
ところで、エレベータ利用者の利便性を考慮したとき、荷提げフックはエレベータかご内のみに留まらず、エレベータ乗り場への設置も考えられる。図６（ａ）に本発明のこの種の実施形態の全体構成例を示す。番号６１はエレベータの乗り場ドアであり、番号６２はエレベータ乗り場に設けられる乗り場操作盤である。この乗り場操作盤６２の近く、例えばその下の位置に、乗り場荷提げフック６３を設ける。乗り場荷提げフック６３は、図６（ｂ）に示すように、壁６４に設けられた凹部６５に収納可能になっていれば、エレベータ利用者などの障害になることがないと言う利点がある。
【００３１】
エレベータ乗り場に荷提げフックを設ける場合には、スペースへの配慮はそれほど必要ではないため、固定式のしかも重い荷物を掛けることが可能な荷提げフックを設ける。
【００３２】
この荷提げフックに上述の荷物置き忘れ警告の機能は有するものを用いればエレベータ利用者に対する利便性をさらに高めることができる。エレベータ乗り場の荷掛けフックは、乗り場操作盤に設けるようにすることもできる。
【００３３】
ところで、前述の実施形態において、「横T字型」形状の荷提げフックを説明してきたが、「横L字型」や「横U字型」などであっても良く、色々な形状のフックを使用できる。このことは、エレベータかご室内や乗り場の意匠デザイン的に適切な形状を選択できるという利点がある。
【図面の簡単な説明】
【００３４】
【図１】本発明の一実施形態におけるエレベータかご内面を示す図。
【図２】本発明の一実施形態における荷提げフックを説明するための図。
【図３】本発明の一実施形態における荷提げフックの詳細を説明するための図。
【図４】本発明における他の実施形態の荷提げフックを設置したエレベータかごの概要を説明するための図。
【図５】本発明における他の実施形態の荷提げフックを説明するための図。
【図６】本発明における他の実施形態の荷提げフックを設置したエレベータ乗り場の概要を説明するための図。
【符号の説明】
【００３５】
１１・・・天井、
１２・・・床、
１３、４１、５４・・・側板、
１４・・・扉、
１５・・・操作盤、
１６、４２、５１・・・荷提げフック、
１７・・・荷物掛け部、
１８・・・切り欠き部、
３１・・・圧縮バネ、
４３，４４・・・磁石、
５２・・・シャフト、
５３・・・シリンダー、
５５・・・板バネ、
５６・・・荷重検知装置、
５７，５９・・・配線、
５８・・・ランプ、
６１・・・乗り場ドア、
６２・・・乗り場操作盤、
６３・・・乗り場荷提げフック、
６４・・・壁、
６５・・・凹部。
【図１】
2005145615.tif 000003
【図２】
2005145615.tif 000004
【図３】
2005145615.tif 000005
【図４】
2005145615.tif 000006
【図５】
2005145615.tif 000007
【図６】
2005145615.tif 000008